(57)【特許請求の範囲】
【請求項１】
縦横目地溝によって区画された凸ブロックの複数個を縦横に配列したブロック調模様を有する建築板であって、上記縦横目地溝の配置を異ならせた建築板を複数個準備し、上記複数個の建築板の任意の一対を選んで上下に接合した場合、上記接合された一対の建築板の各々の接合縁に沿って配列されている上下両側の縦目地溝のうち任意の縦目地溝が上記一対の建築板で同位置に配置されて相互貫通状態に連がるようにされており、最上段以外の各段の横目地溝は任意の上下の縦目地溝との交点において上方または下方にずらされていることを特徴とする建築板。
【請求項２】
上記接合された一対の建築板の各々の接合縁に沿って配列されている上下両側の縦目地溝のうち少なくとも３条以上の縦目地溝が上記一対の建築板で同位置に配設されて相互貫通状態に連がるようにされており、かつ最上段以外の各段の横目地溝は該横目地溝が沿う上側および下側の１つまたは２つ以上の凸ブロックの全横巾にわたって連続し、それから上下の縦目地溝との交点において上方または下方にずらされている請求項１に記載の建築板。
【請求項３】
最上段以外の各段の横目地溝は両端部の横目地溝を除き該横目地溝が沿う上側および下側の２つないし５つの凸ブロックの全横巾にわたって連続し、それから上下の縦目地溝との交点において上下にずらされている請求項１または２に記載の建築板。
【請求項４】
各段の該横目地溝は所定の上および／または下の縦目地溝との交点の両側において、溝巾が異なるようにされている請求項１〜３のいずれかに記載の建築板。
【請求項５】
各建築板には中間部にブロック内横目地溝が設けられた凸ブロックの複数個が配置され、該ブロック内横目地溝は板全巾にわたって上下ジグザグ状に配置されている請求項１〜４のいずれかに記載の建築板。
【請求項６】
各建築板の最上段および／または最下段両端の凸ブロック横巾は同寸法にされている請求項１〜５のいずれかに記載の建築板。
【請求項７】
上下建築板接合部の設定横目地溝巾Ｗ2 の中心値をＷM mmとすれば、各建築板の横目地溝の巾は、ＷM −１mm、ＷM mm、ＷM ＋１mmの３種類とされる請求項３〜６のいずれかに記載の建築板。
【請求項８】
各凸ブロックの四周面の上縁角部は切落されている請求項１〜７のいずれかに記載の建築板。
【発明の詳細な説明】
【０００１】
【発明の属する技術分野】
本発明は例えば外壁材等に用いられる建築板に関するものである。
【０００２】
【従来の技術】
この種の建築板にあっては、表面に縦横目地溝によって区画された凸ブロックの複数個を縦横に配列したブロック調模様を付したものが汎用されている。
最近では上記ブロック調模様の意匠性を向上せしめるために、縦巾または横巾の異なる複数種の凸ブロックを不規則に配列させたり（例えば特許文献１参照）、縦横巾の異なった凸ブロックを縦横に配列した図柄単位を数種類合わせたり（特許文献２参照）、横目地溝の巾を異ならせたり（特許文献３参照）することが提案されている。
【０００３】
【特許文献１】
特開平８−１０９７２８号公報
【特許文献２】
特開２００１−２２７１３０号公報
【特許文献３】
特開２００２−１２９７３２号公報
【０００４】
【発明が解決しようとする課題】
特許文献１にかゝるブロック調模様では上下の建築板の接合部で縦目地溝が分断されているので、接合部に形成される横一線の目地溝が目立ってしまう。
特許文献２および特許文献３にかゝるブロック調模様では縦横目地溝が板の全長全巾にわたって連続し、略ゴバン目状になるので単調な意匠になり、面白味が少なくなる。
【０００５】
【課題を解決するための手段】
本発明は上記従来の課題を解決する手段として、縦横目地溝(2,3) によって区画された凸ブロック(4) の複数個を縦横に配列したブロック調模様を有する建築板(1) であって、上記縦横目地溝(2,3) の配置を異ならせた建築板(1A,1B,1C,1D) を複数個準備し、上記複数個の建築板(1A,1B,1C,1D) の任意の一対(1A,1B) を選んで上下に接合した場合、上記接合された一対の建築板(1A,1B) の各々の接合縁に沿って配列されている上下両側の縦目地溝(2) のうち任意の縦目地溝(2) が上記一対の建築板(1A,1B) で同位置に配置されて相互貫通状態に連がるようにされており、最上段以外の各段の横目地溝(3) は任意の上下の縦目地溝(2) との交点において上方または下方にずらされている建築板(1) を提供するものである。上記接合された一対の建築板(1A,1B) の各々の接合縁に沿って配列されている上下両側の縦目地溝(2) のうち少なくとも３条以上の縦目地溝(2) が上記一対の建築板(1A,1B) で同位置に配設されて相互貫通状態に連がるようにされており、かつ最上段以外の各段の横目地溝(3) は該横目地溝(3) が沿う上側および下側の１つまたは２つ以上の凸ブロック(4) の全横巾にわたって連続し、それから上下の縦目地溝(2) との交点において上方または下方にずらされていることが望ましい。
【０００６】
一般に最上段以外の各段の横目地溝(3) は両端部の横目地溝(3) を除き該横目地溝(3) が沿う上側および下側の２つないし５つの凸ブロック(4) の全横巾にわたって連続し、それから上下の縦目地溝(2) との交点において上下にずらされている。更に各段の該横目地溝(3) は所定の上および／または下の縦目地溝(2) との交点の両側において、溝巾が異なるようにされていることが望ましい。また各建築板(1) には中間部にブロック内横目地溝(31)が設けられた凸ブロック(41)の複数個が配置され、該ブロック(41)内横目地溝(31)は板全巾にわたって上下ジグザグ状に配置されていることが望ましく、更に各建築板(1) の最上段および／または最下段両端の凸ブロック(4) 横巾は同寸法にされていることが望ましい。例えば上下建築板(1) 接合部の設定横目地溝(3A)巾Ｗ2 の中心値をＷM mmとすれば、各建築板(1) の横目地溝(3) の巾は、ＷM −１mm、ＷM mm、ＷM ＋１mmの３種類とされる。また各ブロック(4) の四周面の上縁角部(7) は切落されていることが望ましい。
【０００７】
【作用】
請求項１の発明にあっては、縦に接続された任意の一対の建築板(1A,1B) の各々の接続縁に沿って配列されている縦目地溝(2) のうち任意の縦目地溝(2) が同位置に配置され、接合部で分断されることなく相互連通状態に連がるようにされているので、建築板(1A,1B) 内にある縦目地溝(2) と同一視されることになり、目の錯覚によって接合部の横一線の目地溝(3A)が目立たなくなる。
更に最上段以外の各段の横目地溝(3) は任意の上下の縦目地溝(2) との交点において上下にずらされているから、１つの凸ブロック(4) において上下横方向の辺に顕著な段部が形成された見苦しい異形ブロックは存在せず、しかも単調なゴバン目様になることが回避される。
【０００８】
請求項２の発明にあっては、接合された一対の建築板(1A,1B) の各々の接合縁に沿って配列されている上下両側の縦目地溝(2) のうち少なくとも３条以上の縦目地溝(2) が上記一対の建築板(1A,1B) で同位置に配設されて相互貫通状態に連がるようにされていると、接合部で分断されることなく接合部の横一線の目地溝(3A)が更に目立たなくなり、また最上段以外の各段の横目地溝(3) は該横目地溝(3) が沿う上側および下側の１つまたは２つ以上の凸ブロック(4) の全横巾にわたって連続し、それから上下の縦目地溝(2) との交点において上方または下方にずらされていると、更にブロック調模様に変化が付される。
【０００９】
請求項３の発明にあっては、最上段以外の各段の横目地溝(3) は両端部の横目地溝(3) を除き該横目地溝(3) が沿う上側および下側の２つないし５つの凸ブロック(4) の全横巾にわたって連続し、それから上下の縦目地溝(2) との交点において上下にずらされているので、上記ブロック調模様にバランスの良い変化が付される。
【００１０】
請求項４の発明にあっては、各段の該横目地溝(3) は所定の上および／または下の縦目地溝(2) との交点の両側において、溝巾が異なるようにされているので、上記ブロック調模様に更なる変化が付される。
【００１１】
請求項５の発明にあっては、各建築板(1A,1B,1C,1D) には中間部にブロック内横目地溝(31)が設けられた凸ブロック(41)の複数個が配置され、該ブロック(41)内横目地溝(31)は板全巾にわたって上下ジグザグ状に配置されているので、上記凸ブロック(4) に多様性が付され、上記ブロック調模様に更なる変化と面白味が付され、そして接合部に接する最上段の横目地溝(3A)は略一直線状になり、接合部が目立つのをカモフラージュさせる。
【００１２】
請求項６の発明にあっては、各建築板(1A,1B,1C,1D) の最上段および／または最下段両端の凸ブロック(4) 横巾は同寸法にされているので、この個所の凸ブロック(4) 横巾を測定して、板の寸法管理を容易にかつ簡単に行うことが出来る。
【００１３】
請求項７の発明にあっては、板接合部の実加工のばらつきにもとづく、板接合部に形成される横目地溝(3A)の巾Ｗ2 のばらつき（通常±１mm）を吸収することが出来る。
【００１４】
請求項８の発明にあっては、各凸ブロック(4,41)の四周面の上縁角部(7) は切落されているので、各凸ブロック(4,41)の四周面の上縁角部(7) の欠損が防止される。
【００１５】
【発明の実施の形態】
本発明を図１〜図４に示す一実施例によって以下に説明する。本実施例にあっては図１に示すように、表面に近似したパターンのブロック調模様を有する４種類の建築板(1A,1B,1C,1D) が用意される。
各建築板(1A,1B,1C,1D) は木片、木粉、木質パルプ、木質繊維束、木毛等の木質補強材を混合したセメント板である木質セメント板からなり、上記ブロック調模様は養生硬化前にエンボス加工することによって該建築板(1A,1B,1C,1D) 表面に形成される。
【００１６】
各建築板(1A,1B,1C,1D) （以下まとめて建築板(1) とする）のブロック調模様は縦横目地溝(2,3) によって区画された複数個の凸ブロック(4) を縦横に配列したものである。各建築板(1) の上縁と下縁とにはそれぞれ図２に示すような下実(5) と上実(6) とが切削加工によって形成されている。
各建築板(1) に付されている上記ブロック調模様の４種類のパターンにおいて、各建築板(1) のうちのいずれか一対を選んで上下に接合した場合、該一対の建築板(1) の接合縁に沿って配列されている縦目地溝(2) のうち少なくとも３条以上の縦目地溝(2) が上下一対の建築板(1) で同位置に配置されて相互貫通状態に連がるように設定されている。
【００１７】
本実施例において各建築板(1) の一対の組合わせは、Ａ−Ｂ，Ｂ−Ａ，Ａ−Ｃ，Ｃ−Ａ，Ａ−Ｄ，Ｄ−Ａ，Ｂ−Ｃ，Ｃ−Ｂ，Ｂ−Ｄ，Ｄ−Ｂ，Ｃ−Ｄ，Ｄ−Ｃの１２通りあり、各組合わせにおいて縦目地溝(2) が連がる条数は表１に示される。
【００１８】
【表１】
0003697240.tif 000002
【００１９】
表１にみるようにいずれの組合わせにおいても縦目地溝(2) が連がる条数は３条以上であり、このように設定すれば建築板(1) 相互の接合部において分断されない縦目地溝(2) が少なくとも３条以上であるので、接合部に形成される設定横目地溝である横一線の目地溝(3A)が目の錯覚によって目立たなくなる。
このように本実施例の建築板(1) にあっては、いずれの板の組合わせにおいても接合部上下両側の縦目地溝(2) が少なくとも３条連がるように各建築板(1) の接合線（下実側、上実側）に沿って縦目地溝(2) を割りつける。
【００２０】
更に本実施例では、上記建築板(1) の横方向の凸ブロック(4) の配列は３段、即ち横目地溝(3) の配列も３段にされているが、最上段即ち下実側段以外の各段（２段目、３段目）において横目地溝(3) は該横目地溝(3) が沿う上側および下側の１つまたは２つ以上の凸ブロックの全横巾にわたって連続し、そして上下の縦目地溝(2,2) との交点において上下にずらされているから、１つの凸ブロック(4) において上下横方向の辺に顕著な段部が形成された見苦しい異形ブロックは存在せず、しかも単調なゴバン目様になることが回避されている。
【００２１】
例えば図１に示す建築板(1A)の２段目の横目地溝配列にあっては、図１左から上側４つの凸ブロック(4) 、下側５つの凸ブロック(4) の全横巾にわたって横目地溝(3) が一線上に連続し、それから上下縦目地溝(2,2) の交点で上方に２０mmずらされ、更に上側５つの凸ブロック(4) 、下側３つの凸ブロック(4) の全横巾にわたって横目地溝(3) が一線上に連続し、それから上下縦目地溝(2,2) の交点で下方に２０mmずらされ、更に上側４つの凸ブロック(4) 、下側５つの凸ブロック(4) の全横巾にわたって横目地溝(3) が一線上に連続し、それから上下縦目地溝(2,2) の交点で上方に２０mmずらされ、更に上側３つの凸ブロック(4) 、下側３つの凸ブロック(4) の全横巾にわたって横目地溝(3) が一線上に連続し、それから上下縦目地溝(2,2) の交点で下方に２０mmずらされ、更に上側２つの凸ブロック(4) 、下側１つの凸ブロック(4) の全横巾にわたって横目地溝(3) が一線上に連続している。
【００２２】
このような配列を簡単に整理すれば、建築板(1A)の上段横目地配列は、上側４ブロック、下側５ブロック、上ずれ上側５ブロック、下側３ブロック、下ずれ上側４ブロック、下側５ブロック、上ずれ上側３ブロック、下側３ブロック、下ずれ上側２ブロック、下側１ブロックと表される。このように横目地溝を左端から整理した結果を表２に示す。
【００２３】
【表２】
0003697240.tif 000003
【００２４】
本発明においては横目地溝(3) は該横目地溝(3) が沿う上側および下側の２つないし５つの凸ブロックの全横巾にわたって一線上に連続していることが望ましい。また上ずれと下ずれとは交互にすることが望ましい。そうすれば上記ブロック調模様にうるさ過ぎずかつ単調にならずバランスの良い変化が付される。なお本実施例では、建築板(1A)上段横目地溝右端、建築板(1C)上段横目地溝右端は下側あるいは上側１ブロックのみの連続とされているが、各段の両端部の横目地溝は目立たないので、ブロック調模様全体に影響はしない。
【００２５】
更に横目地溝(3) は所定の上および／または下の縦目地溝(2) との交点の両側において溝巾が異なるようにされている。こゝに溝巾Ｗとは図４に示すように溝底面巾を云う。本実施例では該縦目地溝(2) の溝巾は６mm、７mm、８mmの三種類とされている。例えば図１の建築板(1D)のイで示す範囲を拡大した図３および接合部分の側断面図である図２によって説明すれば、上縁接合部最上段にあっては左から該横目地溝(3A)の溝巾Ｗ2 は８mm、７mm、６mmに設定され、２段目の横目地溝(3) の溝巾Ｗ1 は６mm、７mm、８mm、６mm、７mmに設定され、３段目の横目地溝(3) の溝巾Ｗ1 は７mm、８mm、６mm、８mmに設定されている。即ち２段目、３段目の横目地溝(3) の溝巾Ｗ1 は最上段の横目地溝(3A)の溝巾Ｗ2 の中心値ＷM 、ＷM ±１、具体的にはＷM ＝７mmであるから、７mm、７−１＝６mm、７＋１＝８mmに設定されている。このようにすれば実加工のばらつきにもとづく接合部横目地溝(3A)の溝巾のばらつきが吸収される。更に横目地溝(3,3A)の溝巾は少なくとも該横目地溝(3,3A)が沿う上側および／または下側の凸ブロック(4) の２つ以上の全横巾にわたって同一巾にされることが望ましい。そうすれば上記ブロック調模様にうるさ過ぎずかつ単調にならずバランスの良い変化が付される。
【００２６】
更に建築板(1) の所定個の凸ブロック(41)には中間にブロック内横目地溝(31)が付されている。このようなブロック内横目地溝(31)は板全巾にわたって上下ジグザグに配置されている。このような配置にするには凸ブロック(41)内で横目地溝(31)の上下位置を変えてもよいし、凸ブロック(41)の上下配置位置を変えてもよい。例えば建築板(1A)では左端から横目地溝(31)は中段上側、中段下側、上段、下段、中段とジグザグに配置され、建築板(1B)では左端から中段、上段、下段、中段、下段とジグザグに配置され、建築板(1C)では左端が中段、上段、下段、上段、下段とジグザグに配置され、建築板(1D)では左端から中段、下段、上段、下段、中段とジグザグに配置されている。このようにして凸ブロックの単一感が回避されて多様性が付され、しかも横目地溝(31)の上下配列位置が交互ジグザグにされることによってある程度の規則性を保ちつゝブロック調模様に更なる変化と面白味が付され、そして接合部に接する最上段の横目地溝(3A)は略一直線状となり、接合部が目立つのをカモフラージュさせる。
【００２７】
更に各建築板(1) の上段右端に位置する凸ブロック(4) は同一横巾寸法ｘとされ、上段左端に位置する凸ブロック(4) も同一横巾寸法ｙとされ（こゝにｘ＝ｙまたはｘ≠ｙ）、この凸ブロック(4) の横巾寸法を測定して板の寸法管理を容易にかつ簡単に行うことが出来るよう配慮されている。
また本実施例の凸ブロック(4) にあっては、図４に示すように上縁角部(7) が切落されて、該上縁角部(7) の欠損が防止されている。
【００２８】
更に各凸ブロック(4) の上面には微細凹凸模様が付されて天然石調とされもよい。
【００２９】
本実施例にあっては、上記４種類の建築板(1A,1B,1C,1D) を適当に選んで縦横に配列し外壁等を構築するが、更に各建築板(1) の左端と右端との横目地溝(3) の位置が同じにされ、建築板(1,1) 相互を左右に接合した時、接合部分で左右の横目地溝(3,3) が食い違わないよう一線上に連続するようにされ、接合部分が不自然に目立たないようにされている。
【００３０】
本実施例では各建築板(1) の凸ブロックは３段に配列されているが、２段あるいは４段に配列されてもよく、また建築板(1) は４種類以外、３種類、５種類、あるいはそれ以外準備されてもよい。しかし種類が余り多過ぎると、デザイン、製造に手間がかゝるので、通常３〜５種類とする。
【００３１】
【発明の効果】
本発明においては、建築板を上下に接合した時、接合部が目立たなくなり、更に板表面ブロック調模様には変化が付され、単調なゴバン目様になることが回避され、望ましい外観、意匠の外壁等を構築することが出来る。
【図面の簡単な説明】
図１〜図４は本発明の一実施例を示すものである。
【図１】建築板の平面図
【図２】建築板上下接合部分の側断面図
【図３】図１における建築板(1D)のイ部分の拡大平面図
【図４】目地溝付近の部分断面図
【符号の説明】
1,1A,1B,1C,1D    建築板
2                縦目地溝
3,3A,31          横目地溝
4,41             凸ブロック
7                上縁角部
【図１】
0003697240.tif 000004
【図２】
0003697240.tif 000005
【図３】
0003697240.tif 000006
【図４】
0003697240.tif 000007